(57)【要約】【課題】蓋体を後方に回動させて開いたときでもケース全体が安定するようにした収納ケースを提供する。【解決手段】ケース本体１の開口上端３に蓋体５を開閉自在に枢着してなる収納ケースにおいて、該蓋体におけるケース本体に枢着された基部１１には支持体１３を外設し、該支持体は蓋体の全長に対応する長さを有する当接部１５と該当接部の両端に設けた取付部１７ａ、１７ｂとを備えると共に各取付部を蓋体における基部の各側端１９ａ、１９ｂの外面に回動自在に軸着してなり、該支持体は該蓋体を後方に回動させて開いたときに該支持体における当接部の一縁１５ａが蓋体に当接すると共に該当接部の他縁１５ｂが収納ケースの載置面に当接するようにしたことを特徴とする収納ケース。【選択図】図２
0003116109.tif 000002
【実用新案登録請求の範囲】
【請求項１】
ケース本体の開口上端に蓋体を開閉自在に枢着してなる収納ケースにおいて、
該蓋体におけるケース本体に枢着された基部には支持体を外設し、
該支持体は蓋体の全長に対応する長さを有する当接部と該当接部の両端に設けた取付部とを備えると共に各取付部を蓋体における基部の各側端の外面に回動自在に軸着してなり、
該支持体は該蓋体を後方に回動させて開いたときに該支持体における当接部の一縁が蓋体に当接すると共に該当接部の他縁が収納ケースの載置面に当接するようにしたことを特徴とする収納ケース。
【考案の詳細な説明】
【技術分野】
【０００１】
本考案は、筆入れ、小物入れ、宝石箱等の収納ケースに関するものであり、特に、ケース本体に開閉自在に枢着された蓋体を回動させて開いたときに、ケース全体が安定するようにした収納ケースに係るものである。
【背景技術】
【０００２】
ケース本体の開口上端に蓋体を開閉自在に枢着してなる収納ケース（以下「従来の収納ケース」という。）は、例えば実用新案登録第３０１５２１０号公報に開示されているように、従来より広く知られている。
【特許文献１】実用新案登録第３０１５２１０号公報
【考案の開示】
【考案が解決しようとする課題】
【０００３】
ケース本体の開口上端に蓋体を開閉自在に枢着してなる従来の収納ケースにおいては、例えば、ケース本体内に収納されている物が軽いとき等には、蓋体を後方に回動させて開いたときに、該蓋体の重量によりケース全体が不安定になり、ケース全体が後方に倒れやすくなる。
【０００４】
本考案は、上記従来の収納ケースにおける上述の如き問題を解決し、蓋体を後方に回動させて開いたときでもケース全体が安定するようにした収納ケースを提供しようとしてなされたものである。
【課題を解決するための手段】
【０００５】
上記課題を解決するために、本考案は下記の収納ケースを提供する。
【０００６】
ケース本体の開口上端に蓋体を開閉自在に枢着してなる収納ケースにおいて、
該蓋体におけるケース本体に枢着された基部には支持体を外設し、
該支持体は蓋体の全長に対応する長さを有する当接部と該当接部の両端に設けた取付部とを備えると共に各取付部を蓋体における基部の各側端の外面に回動自在に軸着してなり、
該支持体は該蓋体を後方に回動させて開いたときに該支持体における当接部の一縁が蓋体に当接すると共に該当接部の他縁が収納ケースの載置面に当接するように形成したことを特徴とする収納ケース。
【０００７】
［考案の作用］
蓋体をケース本体の開口上端に閉じているときには、支持体は当接部が該蓋体の基部に近接した状態となる。図１参照。
【０００８】
蓋体を後方に回動させて開いたときには、支持体は該蓋体に対して回動し（図３参照）、該支持体における当接部の一縁が蓋体に当接すると共に該当接部の他縁が収納ケースの載置面に当接する（図４参照）。
【考案の効果】
【０００９】
本考案は、下記の如き優れた効果を発揮する。
【００１０】
（１）蓋体を後方に回動させて開いたときには、蓋体の基部に外設された支持体における当接部の一縁が蓋体に当接すると共に該当接部の他縁が収納ケースの載置面に当接するため、蓋体の重量は支持体を介して収納ケースの載置面により支承される。従って、ケース本体内に収納されている物が軽いとき等でも、ケース全体が後方に倒れやすくなることはなく、ケース全体が安定する。
【００１１】
（２）収納ケースの載置面に当接する支持体の当接部は蓋体の全長に対応する長さを有するため、該支持体における当接部の一縁が蓋体に当接すると共に該当接部の他縁が収納ケースの載置面に当接したときには、ケース全体が更に好ましく安定する。
【００１２】
（３）支持体は当接部と該当接部の両端に設けた取付部とを備え、各取付部を蓋体における基部の各側端の外面に回動自在に軸着してなるものであるため、該支持体は丈夫であって蓋体に対して円滑に回動する。
【００１３】
（４）蓋体をケース本体の開口上端に閉じているときには、支持体は当接部が該蓋体の基部に近接した状態となるため、収納ケースの意匠面でも申し分ない。
【考案を実施するための最良の形態】
【００１４】
本考案の収納ケースは、ケース本体１の開口上端３に蓋体５を開閉自在に枢着してなるものである点においては、上記従来の収納ケースと共通する。
【００１５】
ケース本体１と蓋体５は、合成樹脂、木、金属その他、いかなる材料により形成されたものであってもよい。
【００１６】
ケース本体１の開口上端３に蓋体５を開閉自在に枢着するに当たり、図示の事例においては、ケース本体１の各側壁部１ａ、１ｂよりそれぞれ内方に軸７、７を突設し、該軸７、７に蓋体５の突起９、９を回転自在に支持させている。符合１０に示すものは、該軸７の支持枠である。
【００１７】
なお、ケース本体１の開口上端３に蓋体５を開閉自在に枢着するに当たっては、蓋体５を公知の軸又はヒンジ（図示せず。）を介してケース本体１の開口上端３に取り付けても差し支えない。
【００１８】
次に、本考案の収納ケースが上記従来の収納ケースと異なる点について説明する。
【００１９】
蓋体５におけるケース本体１に枢着された基部１１には支持体１３を外設する。なお、蓋体５の基部１１とは、蓋体５における前記軸７、７又はヒンジ等の回動中心に近い側の部分、即ち、図１における手前側部分をいう。
【００２０】
支持体１３は、蓋体５の全長に対応する長さを有する当接部１５と該当接部１５の両端に設けた取付部１７ａ、１７ｂとを備えると共に各取付部１７ａ、１７ｂを蓋体５における基部１１の各側端１９ａ、１９ｂの外面に回動自在に軸着してなるものである。符号２１に示すものは、各取付部１７ａ、１７ｂを蓋体５における基部１１の各側端１９ａ、１９ｂの外面に回動自在に取り付けている軸である。
【００２１】
支持体１３は、一例として、平らな板状体である当接部１５の両端に該当接部１５とは略直角の取付部１７ａ、１７ｂを備えさせてなる略コ字状体とする。
【００２２】
支持体１３は、蓋体５を後方に回動させて開いたときに該支持体１３における当接部１５の一縁１５ａが蓋体５に当接すると共に該当接部１５の他縁１５ｂが収納ケースの載置面２３に当接するようになす。
【００２３】
収納ケースの載置面２３は、収納ケースが載置されている机の天板、テーブルの天板、棚の載置板等の上面である。
【図面の簡単な説明】
【００２４】
【図１】蓋体を閉じた状態の収納ケースを示す斜視図である。
【図２】蓋体を開いた状態の収納ケースを示す斜視図である。
【図３】蓋体を開きつつある状態の収納ケースを示す側面図である。
【図４】蓋体を完全に開いた状態の収納ケースを示す側面図である。
【図５】蓋体を開きつつある状態の収納ケースを示す平面図である。
【符号の説明】
【００２５】
１  ケース本体
１ａ  側壁部
１ｂ  側壁部  
３  開口上端
５  蓋体
７  軸
９  突起
１０  支持枠
１１  基部
１３  支持体
１５  当接部
１５ａ  一縁
１５ｂ  他縁
１７ａ  取付部
１７ｂ  取付部
１９ａ  側端
１９ｂ  側端
２１  軸
２３  載置面
【図１】
0003116109.tif 000003
【図２】
0003116109.tif 000004
【図３】
0003116109.tif 000005
【図４】
0003116109.tif 000006
【図５】
0003116109.tif 000007